(57)【要約】【課題】本発明は、機器本体ケースの低温時には通気孔を閉鎖して塵の侵入を防止するとともに機器本体ケースの高温時には通気孔を開放して放熱することができる、構造の簡単な放熱構造を有する携帯電子機器を提供する。【解決手段】カメラケース１２の上面１３の矩形状開口部９０には放熱部１００が設けられる。放熱部１００は、グリップ部１４から離れた位置であって、グリップ部１４を把持したカメラマンの手では触ることができない位置に設けられている。放熱部１００は、単一の部材である形状記憶合金によって製造され、通気孔１０８が閉鎖された形状から通気孔１０８が開放された元の形状に回復する温度が６０度に設定されている。これにより、ＣＰＵ３０及びＣＣＤ５４の発熱部によるカメラケース１２の蓄熱により放熱部１００の特に舌状片１１０が６０度に到達したときに通気孔１０８が開放する。【選択図】      図１
2007012873.tif 000002
【特許請求の範囲】
【請求項１】
機器本体ケースに通気孔が形成された部材を取り付けてなる携帯電子機器であって、
前記通気孔が形成された部材は、所定温度に昇温された際に変形する単一の可変形部材によって構成されるとともに、前記所定温度以上に昇温されると前記通気孔が開放するように変形し、前記所定温度未満時は前記通気孔が閉鎖するように変形することを特徴とする携帯電子機器。
【請求項２】
前記可変形部材は、形状記憶合金又はバイメタルであることを特徴とする請求項１に記載の携帯電子機器。
【請求項３】
前記可変形部材は、前記携帯電子機器のグリップ部から離れた位置に取り付けられていることを特徴とする請求項１又は２に記載の携帯電子機器。
【請求項４】
前記可変形部材は、前記機器本体ケースの上面に形成されていることを特徴とする請求項３に記載の携帯電子機器。
【請求項５】
前記可変形部材は、前記機器本体ケースの内側に変形して前記通気孔を開放することを特徴とする請求項１、２、３又は４のうちいずれか一つに記載の携帯電子機器。
【請求項６】
前記可変形部材は、前記機器本体ケースに複数箇所に設けられ、これらの可変形部材の通気孔が開放されることにより前記機器本体ケース内に対流の通風路が形成されることを特徴とする請求項１、２、３、４又は５のうちいずれか一つに記載の携帯電子機器。
【請求項７】
前記機器本体ケース内に形成された対流の通風路に、前記機器本体ケースに内蔵された発熱体が配置されていることを特徴とする請求項６に記載の携帯電子機器。
【発明の詳細な説明】
【技術分野】
【０００１】
本発明は携帯電子機器に係り、特に固体撮像素子、中央処理装置等の発熱体を本体ケースに内蔵するとともに、本体ケースに蓄積した熱を外部に放熱する通気孔が形成された携帯電子機器に関する。
【背景技術】
【０００２】
特許文献１には、発電制御所、水道管理システムで使用されるＣＲＴ内蔵操作卓において、ＣＲＴから発生する熱の放熱構造が開示されている。
【０００３】
この放熱構造は、操作卓の本体ケースに形成された通気孔の開閉が自在になるように、開閉板の基端がヒンジを介して本体ケースに回動自在に取り付けられている。そして、開閉板の自由端は、形状記憶合金部材を介して本体ケースに固定され、この形状記憶合金部材は常温では収縮状態であり、通気孔が開閉板によって閉鎖されている。本体ケース内の温度が所定温度を超えると、形状記憶合金部材が伸長して開閉板の自由端を本体ケースの外側に押し開き通気孔を開放する。
【０００４】
この放熱構造は、形状記憶合金部材を使用し、昇温した温度に基づいて通気孔を自動で開閉する構造なので、通気孔が閉鎖している低温時に通気孔を介して塵が本体ケース内に侵入することを防止できるという利点がある。
【特許文献１】特開平１０−４１６５７６号公報
【発明の開示】
【発明が解決しようとする課題】
【０００５】
しかしながら、特許文献１に開示された放熱構造は、開閉板をヒンジ及び形状記憶合金を介して本体ケースに回動自在に支持する構造なので、部品点数が多く構造が複雑であるという欠点があった。
【０００６】
本発明はこのような事情に鑑みてなされたもので、機器本体ケースの低温時には通気孔を閉鎖して塵の侵入を防止するとともに機器本体ケースの高温時には通気孔を開放して放熱することができる、構造の簡単な放熱構造を有する携帯電子機器を提供することを目的としている。
【課題を解決するための手段】
【０００７】
請求項１に記載の発明は、前記目的を達成するために、機器本体ケースに通気孔が形成された部材を取り付けてなる携帯電子機器であって、前記通気孔が形成された部材は、所定温度に昇温された際に変形する単一の可変形部材によって構成されるとともに、前記所定温度以上に昇温されると前記通気孔が開放するように変形し、前記所定温度未満時は前記通気孔が閉鎖するように変形することを特徴としている。
【０００８】
請求項１に記載の発明によれば、通気孔が形成された部材を、所定温度に昇温された際に変形する単一の可変形部材によって構成したので、放熱構造が簡単な構造となる。また、可変形部材は、所定温度以上に昇温されると前記通気孔が開放するように変形するので、機器本体ケース内の蓄熱した熱を外部に放熱することができる。更に、可変形部材は、所定温度未満時において前記通気孔が閉鎖するように変形するので、機器本体ケースの低温時に通気孔を介して塵が機器本体ケース内に侵入するのを防止できる。
【０００９】
請求項２に記載の発明は、請求項１の発明において、前記可変形部材は、形状記憶合金又はバイメタルであることを特徴としている。
【００１０】
可変形部材を形状記憶合金又はバイメタルとすることにより、可変形部材を容易に構成することができる。形状記憶合金とは、一定の温度以上に加熱すると元の形状に回復する性質（形状記憶効果）を持つ金属であり、金・カドニウム合金、チタン・ニッケル合金、銅・アルミニウム・ニッケル合金を例示できる。このような形状記憶合金を使用した場合、通気孔が閉鎖された形状から通気孔が開放された元の形状に回復する温度を例えば６０度に設定すると、機器本体ケースの蓄熱により可変形部材が６０度に到達したときに通気孔が開放する。これにより、機器本体ケースの内部に蓄熱された熱が通気孔を介して放熱されるとともに通気孔を介して侵入した外気により冷却される。また、６０度未満時には、通気孔は閉鎖しているので、通気孔から塵が機器本体ケース内に侵入するのを防止できる。
【００１１】
一方、バイメタルとは、熱膨張率の異なる２枚の金属片を貼り合わせたものであって、温度変化によって湾曲変形する性質を有している。熱膨張率の大きい金属としては、黄銅・鉄・ニッケル・クロム合金、小さい金属としてはニッケル銅を例示できる。このようなバイメタルを使用した場合、通気孔が閉鎖された形状から湾曲変形して通気孔が開放された形状に変形する温度を例えば６０度に設定すると、機器本体ケースの蓄熱により可変形部材が６０度に到達したときに通気孔が開放する。これにより、機器本体ケースの内部に蓄熱された熱が通気孔を介して放熱されるとともに通気孔を介して侵入した外気により冷却される。また、６０度未満時には、通気孔は閉鎖しているので、通気孔から塵が機器本体ケース内に侵入するのを防止できる。
【００１２】
請求項３に記載の発明は、請求項１又は２の発明において、前記可変形部材は、前記携帯電子機器のグリップ部から離れた位置に取り付けられていることを特徴としている。
【００１３】
このように可変形部材を、グリッブ部から離れた位置に取り付けることにより、グリップ部を把持したユーザーの手によって、開放した通気孔が閉塞されるのを防止できる。
【００１４】
請求項４に記載の発明は、請求項３の発明において、前記可変形部材は、前記機器本体ケースの上面に形成されていることを特徴としている。
【００１５】
機器本体ケースの上面は、携帯電子機器の使用時において一般的にユーザーに触れられる面ではない。すなわち、機器本体ケースの一方の側面に形成されているグリップ部はユーザーの片手で保持され、機器本体ケースの他方の側面及び底面はユーザーのもう一方の片手で保持される。よって、可変形部材を、グリッブ部から離れた位置であって機器本体ケースの上面に形成することにより、開放した通気孔がユーザーの手によって閉塞されるのを確実に防止できる。
【００１６】
請求項５に記載の発明は、請求項１、２、３又は４のうちいずれか一つにおいて、前記可変形部材は、前記機器本体ケースの内側に変形して前記通気孔を開放することを特徴としている。
【００１７】
このように可変形部材が機器本体ケースの内側に変形することにより、変形時においてユーザーの手に可変形部材は引っかからないので、ユーザーは不快感を感じることなく携帯電子機器を操作できる。
【００１８】
請求項６に記載の発明は、請求項１、２、３、４又は５のうちいずれか一つの発明において、前記可変形部材は、前記機器本体ケースに複数箇所に設けられ、これらの可変形部材の通気孔が開放されることにより前記機器本体ケース内に対流の通風路が形成されることを特徴としている。
【００１９】
このように機器本体ケース内に対流の通風路を形成することにより、対流による効率のよい放熱及び冷却を実現できる。
【００２０】
請求項７に記載の発明は、請求項６の発明において、前記機器本体ケース内に形成された対流の通風路に、前記機器本体ケースに内蔵された発熱体が配置されていることを特徴としている。
【００２１】
このように通風路に携帯電子機器の発熱体、例えば中央処理装置、固体撮像素子を配置することにより、発熱体を効率よく冷却でき、機器本体ケース全体の冷却効率が向上する。
【００２２】
また、機器本体ケースの温度上昇に伴い、機器本体ケースの形状が表面積が増すように変形する単一の部材を配置することにより、簡単な構造で伝達による放熱効果を上げることができる。
【発明の効果】
【００２３】
本発明に係る携帯電子機器によれば、通気孔が形成された部材を、所定温度に昇温された際に変形する単一の可変形部材によって構成したので、放熱構造が簡単な構造となり、また、可変形部材は、所定温度以上に昇温されると前記通気孔が開放するように変形するので、機器本体ケース内の蓄熱した熱を外部に放熱することができ、更に、可変形部材は、前記所定温度未満時において前記通気孔が閉鎖するように変形するので、機器本体ケースの低温時に通気孔を介して塵が機器本体ケース内に侵入するのを防止できる。
【発明を実施するための最良の形態】
【００２４】
以下、添付図面に従って本発明に係る携帯電子機器の好ましい実施の形態について説明する。なお、以下の説明では、本発明の携帯電子機器を、電子カメラであるデジタルカメラに適用した例について説明するが、本発明はこれに限定されるものではなく、カメラ付き携帯電話機、携帯通信端末、携帯オーディオプレーヤー等の携帯電子機器に適用可能である。
【００２５】
図１は、実施の形態のデジタルカメラ１０を正面から見た斜視図であり、図２はデジタルカメラ１０を背面から見た斜視図である。また、図３は、デジタルカメラ１０の全体構成を示したブロック図である。
【００２６】
図１、図２の如くデジタルカメラ１０は、カメラケース（機器本体ケース）１２の前面の左側に前方に膨らんだグリップ部１４が形成され、グリップ部１４が位置するカメラケース１２の上面には撮影ボタン１６が配置されている。この撮影ボタン１６は、グリップ部１４を把持したカメラマンの右手の人指し指によって操作可能な位置に設けられている。更に、カメラケース１２の前面の略中央部には、撮影レンズ１８を保持した沈胴／繰り出し式のテレスコープ型レンズ鏡胴２０が前方に突出して設けられている。更にまた、カメラケース１２の前面の右側上部には、キセノン管を有するストロボ発光部２２が設けられるとともに、カメラケース１２の背面には図２の如く液晶モニタ２４、モード選択スイッチ２６、十字キー２７等の各種スイッチ、及びファインダ２８がそれぞれ所定の位置に設けられている。
【００２７】
デジタルカメラ１０は、図３の如く中央処理装置（ＣＰＵ）３０によってその全体動作が統括制御されている。ＣＰＵ３０は、所定のプログラムに従ってカメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００２８】
バス３２を介してＣＰＵ３０と接続されたＲＯＭ３４には、ＣＰＵ３０が実行するプログラム及び制御に必要な各種データ等が格納され、ＥＥＰＲＯＭ３６には、ＣＣＤ画素欠陥情報、カメラ動作に関する各種定数／情報等が格納されている。
【００２９】
また、メモリ（ＳＤＲＡＭ）３８は、プログラムの展開領域及びＣＰＵ３０の演算作業用領域として利用されるとともに、画像データや音声データの一時記憶領域として利用される。ＨＤＤ（ハードディスクドライブユニット）４０は画像データ専用の一時記憶メモリであり、自由落下及び振動を検出する３軸加速度センサ４２が内蔵されている。３軸加速度センサ４２によってデジタルカメラ１０の自由落下が検出されると、ＨＤＤ４０に内蔵された不図示のヘッド退避手段によってヘッドをＨＤＤ４０のハードディスクから退避させる。なお、メモリ３８とＨＤＤ４０は共用することが可能である。
【００３０】
モード選択スイッチ２６は、撮影モードと再生モードとを切り換えるための操作手段である。モード選択スイッチ２６を操作して可動接片２６Ａを接点ａに接続させると、その信号がＣＰＵ３０に入力され、デジタルカメラ１０は撮影モードに設定される。また、可動接片２６Ａを接点ｂに接続させると、デジタルカメラ１０は記録済みの画像を再生する再生モードに設定される。
【００３１】
撮影ボタン１６は、撮影開始の指示を入力する操作ボタンであり、半押し時にオンになるＳ１スイッチと、全押し時にオンになるＳ２スイッチとを有する二段ストローク式のスイッチで構成されている。
【００３２】
メニュー／ＯＫキー（図２には不図示）は、液晶モニタ２４の画面上にメニューを表示させる指令を行うためのメニューボタンとしての機能と、選択内容の確定及び実行などを指令するＯＫボタンとしての機能とを兼備した操作キーである。十字キー２７は、上下左右の４方向の指示を入力する操作部であり、メニュー画面から項目を選択したり、各メニューから各種設定項目の選択を指示したりするボタンとして機能する。キャンセルキー（図２には不図示）は、選択項目など所望の対象の消去や指示内容の取消し、あるいは１つ前の操作状態に戻らせる時などに使用される。
【００３３】
液晶モニタ２４は、ユーザインターフェース用表示画面としても利用され、必要に応じてメニュー情報や選択項目、設定内容などの情報が表示される。この液晶モニタ２４は液晶ディスプレイであるが、これに代えて、有機ＥＬなど他の方式の表示装置を用いることも可能である。
【００３４】
デジタルカメラ１０は、メディアソケット４６を有し、メディアソケット４６には記録メディア４８を装着することができる。記録メディアの形態は特に限定されず、スマートメディア（商標）に代表される半導体メモリカード、可搬型小型ハードディスク、磁気ディスク、光ディスク、光磁気ディスクなど、種々の媒体を用いることができる。
【００３５】
メディアコントローラ５０は、メディアソケット４６に装着される記録メディア４８に適した入出力信号の受渡しを行うために所要の信号変換を行う。
【００３６】
また、デジタルカメラ１０は、パソコンその他の外部機器と接続するための通信手段としてＵＳＢインターフェース部５２を備えている。ＵＳＢケーブルを用いてデジタルカメラ１０と外部機器を接続することにより、外部機器との間でデータの受渡しが可能となる。もちろん、通信方式はＵＳＢに限らず、その他の通信方式を適用してもよい。
【００３７】
次に、デジタルカメラ１０の撮影機能について説明する。
【００３８】
モード選択スイッチ２６によって撮影モードが選択されると、カラーＣＣＤ固体撮像素子（以下ＣＣＤと記載）５４を含む撮像部に電源が供給され、撮影可能な状態になる。
【００３９】
レンズ鏡胴２０は、フォーカスレンズを含む撮影レンズ１８と絞り兼用メカシャッター５６とを含む光学ユニットである。レンズ鏡胴２０は、ＣＰＵ３０によって制御されるレンズ駆動部５８、絞り駆動部６０によって電動駆動され、ズーム制御、フォーカス制御及びアイリス制御が行われる。
【００４０】
撮影レンズ１８を通過した光は、ＣＣＤ５４の受光面に結像される。ＣＣＤ５４の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造で配置されている。また、ＣＣＤ５４は、各フォトダイオードの電荷蓄積時間（シャッタースピード）を制御する電子シャッター機能を有している。ＣＰＵ３０は、タイミングジェネレータ６２を介してＣＣＤ５４での電荷蓄積時間を制御する。なお、ＣＣＤ５４に代えてＭＯＳ型など他の方式の撮像素子を用いてもよい。
【００４１】
ＣＣＤ５４の受光面に結像された被写体像は、各フォトダイオードによって入射光量に応じた量の信号電荷に変換される。各フォトダイオードに蓄積された信号電荷は、ＣＰＵ３０の指令に従いタイミングジェネレータ６２から与えられる駆動パルスに基づいて信号電荷に応じた電圧信号（画像信号）として順次読み出される。
【００４２】
ＣＣＤ５４から出力された信号はアナログ処理部（ＣＤＳ／ＡＭＰ）６４に送られ、ここで画素毎のＲ、Ｇ、Ｂ信号がサンプリングホールド（相関二重サンプリング処理）され、増幅された後、Ａ／Ｄ変換器６６に加えられる。Ａ／Ｄ変換器６６によってデジタル信号に変換された点順次のＲ、Ｇ、Ｂ信号は、画像入力コントローラ６８を介してメモリ３８に記憶される。
【００４３】
画像信号処理回路７０は、メモリ３８に記憶されたＲ、Ｇ、Ｂ信号をＣＰＵ３０の指令に従って処理する。すなわち、画像信号処理回路７０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３８を活用しながら所定の信号処理を行う。
【００４４】
画像信号処理回路７０に入力されたＲＧＢの画像データは、画像信号処理回路７０において輝度信号及び色差信号に変換されるとともに、ガンマ補正等の所定の処理が施される。画像信号処理回路７０で処理された画像データはＨＤＤ４０に記録される。
【００４５】
撮影画像を液晶モニタ２４にモニタ出力する場合、ＨＤＤ４０から画像データが読み出され、バス３２を介してビデオエンコーダ７２に送られる。ビデオエンコーダ７２は、入力された画像データを表示用の所定方式の信号（例えば、ＮＴＳＣ方式のカラー複合映像信号）に変換して液晶モニタ２４に出力する。
【００４６】
撮影ボタン１６が半押しされ、Ｓ１がオンになると、デジタルカメラ１０はＡＥ及びＡＦ処理を開始する。すなわち、ＣＣＤ５４から出力された画像信号はＡ／Ｄ変換後に画像入力コントローラ６８を介してＡＦ検出回路７４並びにＡＥ／ＡＷＢ検出回路７６に入力される。
【００４７】
ＡＥ／ＡＷＢ検出回路７６は、１画面を複数のエリア（例えば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路７６から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３０はＣＣＤ５４の電子シャッター及びアイリスを制御して適正な露光量を得る。
【００４８】
また、ＡＥ／ＡＷＢ検出回路７６は、自動ホワイトバランス調整時には、分割エリアごとにＲＧＢ信号の色別の平均積算値を算出し、その算出結果をＣＰＵ３０に提供する。ＣＰＵ３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１になるように、ホワイトバランス調整回路のＲ、Ｇ、Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００４９】
デジタルカメラ１０におけるＡＦ制御は、例えば映像信号のＧ信号の高周波成分が極大になるようにフォーカシングレンズ（撮影レンズ１８を構成するレンズ光学系のうちフォーカス調整に寄与する移動レンズ）を移動させるコントラストＡＦが適用される。すなわち、ＡＦ検出回路７４は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００５０】
ＡＦ検出回路７４で求めた積算値のデータはＣＰＵ３０に通知される。ＣＰＵ３０は、レンズ駆動部５８を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部５８を制御する。なお、ＡＦ評価値の演算はＧ信号を利用する態様に限らず、輝度信号（Ｙ信号）を利用してもよい。
【００５１】
撮影ボタン１６が半押しされ、Ｓ１オンによってＡＥ／ＡＦ処理が行われ、撮影ボタン１６が全押しされ、Ｓ２オンによって記録用の撮影動作がスタートする。Ｓ２オンに応動して取得された画像データは画像信号処理回路７０において輝度／色差信号（Ｙ／Ｃ信号）に変換され、ガンマ補正等の所定の処理が施された後、メモリ３８に格納される。
【００５２】
メモリ３８に格納されたＹ／Ｃ信号は、圧縮伸張回路７８によって所定のフォーマットに従って圧縮された後、メディアコントローラ５０を介して記録メディア４８に記録される。例えば、静止画についてはＪＰＥＧ形式で記録される。
【００５３】
モード選択スイッチ２６により再生モードが選択されると、記録メディア４８に記録されている最終の画像ファイル（最後に記録されたファイル）の圧縮データが読み出される。最後の記録に係るファイルが静止画ファイルの場合、この読み出された画像圧縮データは、圧縮伸張回路７８を介して非圧縮のＹＣ信号に伸張され、画像信号処理回路７０及びビデオエンコーダ７２を介して表示用の信号に変換された後、液晶モニタ２４に出力される。これにより、当該ファイルの画像内容が液晶モニタ２４の画面上に表示される。
【００５４】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルが記録メディア４８から読み出され、上記と同様にして静止画像や動画が液晶モニタ２４に再生表示される。なお、デジタルカメラ１０は、電源回路８０を介して供給される電池８２の電力によって駆動される。以上がカメラ１の全体構成である。
【００５５】
ところで実施の形態のデジタルカメラ１０は、図１、図２の如くカメラケース１２の上面１３の矩形状開口部９０、９０に放熱部１００、１００が設けられている。この放熱部１００、１００は、グリップ部１４から離れた位置であって、グリップ部１４を把持したカメラマンの右手では触ることができない位置に設けられている。
【００５６】
放熱部１００は、単一の部材である形状記憶合金（可変形部材）によって製造されており、図４（Ａ）、（Ｂ）及び図５（Ａ）、（Ｂ）の如く基板１０２及び台板１０４から構成されている。基板１０２は矩形状に形成され、カメラケース１２の上面１３に形成された開口部９０の周囲の裏面に固着される。台板１０４は、基板１０２がカメラケース１２に固着された際に、開口部９０から露出する部分であり、上面１３と面一になるように基板１０２との段差が設定されている。また、台板１０４には、コ字状のスリット１０６が形成され、これによって通気孔１０８と、通気孔１０８を開閉する舌状片１１０とが形成されている。
【００５７】
放熱部１００は、形状記憶合金の形状記憶効果により、通気孔１０８が閉鎖された図４（Ａ）、図５（Ａ）の形状から通気孔１０８が開放された図４（Ｂ）、図５（Ｂ）の元の形状に回復する温度が６０度に設定されている。これにより、ＣＰＵ３０及びＣＣＤ５４等の発熱部によるカメラケース１２の蓄熱により放熱部１００の特に舌状片１１０が６０度に到達したときに通気孔１０８が開放する。
【００５８】
したがって、カメラケース１２の内部に蓄熱された熱が通気孔１０８を介して放熱されるとともに通気孔１０８を介して侵入した外気によりカメラケース内が冷却される。また、６０度未満時には、通気孔１０８は閉鎖しているので、通気孔１０８から塵がカメラケース１２内に侵入するのを防止できる。また、放熱部１００は、所定温度（６０度）に昇温された際に変形する単一の形状記憶合金によって構成したので、放熱構造が簡単な構造となる。
【００５９】
なお、実施の形態では、一対の放熱部１００をカメラケース１２の上面１３に所定の間隔をもって配置するとともに、舌状片１１０、１１０が対向して変形するように舌状片１１０、１１０を配置している。これにより、一方の放熱部１００の通気孔１０８から侵入した外気が他方の放熱部１００の通気孔１０８から抜け易くなり、これによってカメラケース１２内に対流の通風路が形成されるので、放熱及び冷却効率を向上させることができる。また、変形温度は６０度に限定されるものではなく、使用する環境に応じて適宜変更すればよい。更に、放熱部１００を単一部材のバイメタルによって構成しても同様の効果を得ることができる。但し、温度に対する即応性は形状記憶合金の方が高いため、通気孔１０８の開閉動作の応答性から比較すれば形状記憶合金が有利である。
【００６０】
また、放熱部１００、１００は、デジタルカメラ１０のグリップ部１４から離れた位置であって、カメラマンが通常触ることのない上面１３に設けられているので、グリップ部１４を把持したカメラマンの手によって、開放した通気孔１０８が閉塞されるのを防止できる。
【００６１】
更に、放熱部１００の舌状片１１０は、カメラケース１２の内側に変形して通気孔１０８を開放するため、舌状片１１０の変形時、すなわち通気孔１０８の開放時においてカメラマンの手に舌状片１１０は引っかからない。よって、カメラマンは不快感を感じることなくデジタルカメラ１０を操作できる。
【００６２】
なお、図６の如くカメラケース１２の側面及び底面に放熱部１００、１００をそれぞれ配置することにより、図中矢印で示す対流の通風路を形成することができる。この対流の通風路に、ＣＣＤ５４（及び／又はＣＰＵ３０）を配置することにより、ＣＣＤ５４を効率よく冷却でき、カメラケース１２全体の冷却効率が向上する。
【００６３】
更に、図７の如く放熱部１００の舌状片１１０がカメラケース１２の外側に変形して通気孔１０８を開放するものにおいては、ユーザーの手に舌状片１１０が引っかからないように、舌状片１１０を包囲するメッシュ状のカバー１１２をカメラケース１２に取り付ければよい。
【００６４】
図８〜図１２には、単一の形状記憶合金により製造された放熱部の変形例が示されている。
【００６５】
図８に示す放熱部１２０は、図８（Ａ）に示すように低温時には通気孔１２２が小孔であり、図８（Ｂ）、（Ｃ）の高温時には通気孔１２２の周囲の部分１２４が絞られた形状に変形し通気孔１２２を大孔化する。その絞り方向はカメラケースの内側が好ましい。
【００６６】
図９に示す放熱部１３０は、図９（Ａ）に示すように低温時には通気孔が閉鎖されており、図９（Ｂ）の高温時には、×状に形成されたスリット１３２により形成される通気孔周囲の４枚の三角形片部分１３４、１３４…が折曲変形するので、通気孔１３６が開口する。
【００６７】
図１０に示す放熱部１４０は、一カ所に通気孔１４２を形成したものであり、図１１に示す放熱部１５０は通気孔１５２、１５２…を複数形成し、これらの通気孔１５２、１５２…の開口面積を図９の通気孔１４２の開口面積と等しくしたものである。通気孔１４２、１５２が開放した際の放熱部１４０、１５０の厚みＬ１、Ｌ２を比較すると、通気孔の開口面積は同じでありながら放熱部１５０の厚みＬ２をＬ１よりも薄くできるので、図１１の放熱部１５０を採択することにより携帯電子機器の小型化に貢献できる。
【００６８】
図１２に示す放熱部１６０は、携帯電子機器の機器本体ケース１６２の一部として構成されたものである。同図に示す放熱部１６０は、機器本体ケース１６２の前面又は背面を構成し、高温時には通気孔１６４、１６４…が多数形成されるように構成されている。
【００６９】
図１３（Ａ）、（Ｂ）に示した放熱部１７０は、機器本体ケース１７２の温度上昇に伴い、機器本体ケース１７２のグリップ部１７４が、図１３（Ｂ）の如く表面積が増すように変形する単一の部材で構成されている。これにより、簡単な構造で伝達による放熱効果を上げることができる。
【図面の簡単な説明】
【００７０】
【図１】実施の形態のデジタルカメラの正面斜視図
【図２】図１に示したデジタルカメラの背面斜視図
【図３】図１に示したデジタルカメラの全体構成を示したブロック図
【図４】放熱部の第１の実施の形態を示した全体斜視図
【図５】図４に示した放熱部の拡大断面図
【図６】カメラケース内に対流により通風路が形成されたことを示し説明図
【図７】放熱部の第２の実施の形態を示した全体斜視図
【図８】放熱部の第３の実施の形態を示した全体斜視図
【図９】放熱部の第４の実施の形態を示した全体斜視図
【図１０】放熱部の第５の実施の形態を示した全体斜視図
【図１１】放熱部の第６の実施の形態を示した全体斜視図
【図１２】放熱部の第７の実施の形態を示した全体斜視図
【図１３】放熱部の変形例の形態を示した携帯電子機器の全体斜視図
【符号の説明】
【００７１】
１０…デジタルカメラ、１２…カメラケース、１６…撮影ボタン、１８…撮影レンズ、２０…レンズ鏡胴、２４…液晶モニタ、２６…モード選択スイッチ、３０…ＣＰＵ、３４…ＲＯＭ、５４…カラーＣＣＤ固体撮像素子、７０…画像信号処理回路、１００…放熱部、１０２…基板、１０４…台板、１０８…通気孔、１１０…舌状片、１１２…カバー、１２０…放熱部、１２２…通気孔、１３０…放熱部、１３６…通気孔、１４０…放熱部、１４２…通気孔、１５０…放熱部、１５２…通気孔、１６０…放熱部、１６２…機器本体ケース、１６４…通気孔、１７０…放熱部、１７２…機器本体ケース
【図１】
2007012873.tif 000003
【図２】
2007012873.tif 000004
【図３】
2007012873.tif 000005
【図４】
2007012873.tif 000006
【図５】
2007012873.tif 000007
【図６】
2007012873.tif 000008
【図７】
2007012873.tif 000009
【図８】
2007012873.tif 000010
【図９】
2007012873.tif 000011
【図１０】
2007012873.tif 000012
【図１１】
2007012873.tif 000013
【図１２】
2007012873.tif 000014
【図１３】
2007012873.tif 000015